(57)【要約】【課題】  映り込みの影響が少ない動画を記録可能な撮像装置を提供する。【解決手段】  被写体を撮像して画像データを出力する撮像部と、前記撮像部から出力された複数の画像データを動画像データで記録する動画撮影を制御する動画撮影制御部と、前記動画撮影が動作していることを発光により報知する発光部と、被写体輝度を測光する測光部と、前記測光部が測光した被写体輝度に基づいて、前記発光部を消灯するかどうかを判定する判定部と、前記判定部が判定した結果に基づいて、前記発光部の発光を制御する発光制御部とを備える。【選択図】  図２
2010199915.tif 000002
【特許請求の範囲】
【請求項１】
被写体を撮像して画像データを出力する撮像部と、
前記撮像部から出力された複数の画像データを動画像データで記録する動画撮影を制御する動画撮影制御部と、
前記動画撮影が動作していることを発光により報知する発光部と、
被写体輝度を測光する測光部と、
前記測光部が測光した被写体輝度に基づいて、前記発光部を消灯するかどうかを判定する判定部と、
前記判定部が判定した結果に基づいて、前記発光部の発光を制御する発光制御部とを備えること
を特徴とする撮像装置。
【請求項２】
請求項１に記載の撮像装置において、
前記発光制御部は、前記動画撮影制御部が記録する動画像データを構成する画像データを前記撮像部が撮像している間に、前記判定部が前記発光部を消灯すると判定した場合、前記発光部を所定時間以上かけて漸減して消灯すること
を特徴とする撮像装置。
【請求項３】
請求項２に記載の撮像装置において、
前記発光部を所定時間以上かけて漸減して消灯した場合、前記発光制御部は、前記測光部が測光した被写体輝度に関わらず、前記発光部の再点灯を禁止すること
を特徴とする撮像装置。
【請求項４】
請求項１から請求項３のいずれか１項に記載の撮像装置において、
前記撮像部の受光感度を設定する感度設定部をさらに備え、
前記判定部は、前記測光部が測光した被写体輝度および前記感度設定部により設定された受光感度に基づいて、前記発光部を消灯するかどうかを判定すること
を特徴とする撮像装置。
【請求項５】
請求項１から請求項４のいずれか１項に記載の撮像装置において、
前記撮像部に被写体像を投影する光学系の焦点を調節する焦点調節部をさらに備え、
前記判定部は、前記測光部が測光した被写体輝度および前記焦点調節部により調節された前記光学系の焦点距離に基づいて、前記発光部を消灯するかどうかを判定すること
を特徴とする撮像装置。
【請求項６】
請求項１から請求項５のいずれか１項に記載の撮像装置において、
前記撮像部から出力された画像データを用いて人物の顔領域を認識する顔認識部と、
前記顔認識部により認識された前記顔領域の大きさを検出する検出部と、
前記検出部により検出された前記顔領域の大きさが所定の大きさより大きいかどうかを判定する顔領域判定部とをさらに備え、
前記判定部は、前記検出部により検出された前記顔領域の大きさが所定の大きさよりも大きいと判定された場合、前記発光部を消灯すると判定すること
を特徴とする撮像装置。
【発明の詳細な説明】
【技術分野】
【０００１】
本発明は、撮像装置に関する。
【背景技術】
【０００２】
従来、動画記録中であることを喚起するタリーランプを設けたビデオカメラが知られている。しかし、反射率の高い被写体を至近距離で動画撮影する場合には、タリーランプの反射光が記録中の動画に映り込んでしまう。そのため、至近撮影を行うためのマクロモードである場合には、動画記録中はタリーランプを点滅させない、または発光光量を少なくする撮像装置が提案されている（特許文献１）。
【先行技術文献】
【特許文献】
【０００３】
【特許文献１】特開２００７−６２７３号公報
【発明の概要】
【発明が解決しようとする課題】
【０００４】
しかしながら、マクロモードではない場合、すなわち主要被写体までの距離が遠い場合であっても、主要被写体以外の非主要被写体までの距離が近い場合にはタリーランプが移りこんでしまうという問題があった。
【課題を解決するための手段】
【０００５】
請求項１に記載の装置は、被写体を撮像して画像データを出力する撮像部と、前記撮像部から出力された複数の画像データを動画像データで記録する動画撮影を制御する動画撮影制御部と、前記動画撮影が動作していることを発光により報知する発光部と、被写体輝度を測光する測光部と、前記測光部が測光した被写体輝度に基づいて、前記発光部を消灯するかどうかを判定する判定部と、前記判定部が判定した結果に基づいて、前記発光部の発光を制御する発光制御部とを備えることを特徴とする。
【発明の効果】
【０００６】
本発明によれば、映り込みの影響が少ない動画を記録可能な撮像装置を提供することができる。
【図面の簡単な説明】
【０００７】
【図１】本発明の最良の実施の形態によるデジタルカメラの正面斜視図である。
【図２】図１に示すデジタルカメラの構成の概略を示すブロック図である。
【図３】図１に示すデジタルカメラのＣＰＵによって動画撮影時に行われるセルフタイマランプの発光制御処理の概略を示すフローチャートである。
【図４】図３に示すフローチャートで用いられる、撮像部の撮像面の感光度（Ｓｖ値）と被写体の輝度（Ｂｖ値）との関係を示すグラフである。
【発明を実施するための形態】
【０００８】
本発明による撮像装置をデジタルカメラに適用した場合における最良の実施の形態について説明する。
【０００９】
図１は、この最良の実施の形態によるデジタルカメラ１の正面斜視図である。
【００１０】
デジタルカメラ１の正面中央部には、被写界からの光を撮像素子に導く光学レンズユニット２が設けられている。光学レンズユニット２の左上方には、シャッターボタン３が設けられている。シャッターボタン３は、半押しされるとオートフォーカス（Auto Focus）機能を作動させ、全押しされると予め設定されたシャッター速度でシャッターを開かせ、被写体像を所定時間露光させて被写体像の撮像を行わせる。光学レンズユニット２の右上方には、赤色で発光する発光ダイオード（ＬＥＤ）からなるセルフタイマランプ４が設けられている。セルフタイマランプ４の下方には、動画撮影の開始操作および終了操作に用いられる動画撮影ボタン５が設けられている。動画撮影が行われていないときに動画撮影ボタン５が操作されると、動画記録機能が動作して動画撮影が開始され、動画撮影中に動画撮影ボタン５が操作されると、動画記録機能が停止して動画撮影は終了する。また、デジタルカメラ１の右肩部上面には、撮影時の種々の情報が表示される撮影情報表示パネル６が設けられており、左肩部上面には、種々の撮影モードを設定するための撮影モードダイヤル７が設けられている。また、デジタルカメラ１の中央上部には、ストロボ装置などを取り付けるためのアクセサリシュー８が設けられている。
【００１１】
図２は、本実施形態によるデジタルカメラ１の構成の概略を示すブロック図である。なお、同図において図１と同一部分には同一符号を付してその説明は省略する。
【００１２】
デジタルカメラ１は、ＣＰＵ（Central Processing Unit）１４、ＥＥＰＲＯＭ（Electrically Erasable Programmable Ｒead Ｏnly Ｍemory）などで構成される不揮発性メモリ２６、およびＲＡＭ（Random Access Memory）などで構成されるバッファメモリ２２を備えている。不揮発性メモリ２６には、ＣＰＵ１４が種々の制御を行う際に参照される制御プログラムなどが格納されている。ＣＰＵ１４は、不揮発性メモリ２６に格納されている制御プログラムに従い、バッファメモリ２２を一時記憶作業領域として回路各部の制御を行う。
【００１３】
光学レンズユニット２を構成するズームレンズ１１およびフォーカスレンズ１２を介して導かれた光は、ＣＣＤ（Charge Coupled Device）やＣＭＯＳ（Complementary Metal Oxide Semiconductor）などからなる撮像部１３の撮像面１３ａ上に被写体像を投影する。光学レンズユニット２は、撮像部１３の撮像面１３ａに被写体像を投影する光学系を構成しており、撮像部１３は、被写体を撮像して画像データを出力する。ＣＰＵ１４は、撮像部１３から出力された複数の画像データを動画像データで記録する動画撮影を制御する動画撮影制御部を構成している。ズームレンズ１１およびフォーカスレンズ１２は、モータ１５，１６がＣＰＵ１４の制御によってそれぞれ駆動されることにより、矢示するように光軸上を前後に移動する。ズームレンズ１１が光軸上を移動することにより、光学レンズユニット２によって撮像面１３ａ上に投影される被写体像は拡大または縮小され、光学ズームの拡大倍率が調節される。また、フォーカスレンズ１２が光軸上を移動することにより、光学レンズユニット２によって撮像面１３ａ上に投影される被写体像のピントが調節される。モータ１５，１６によって移動した各レンズ１１，１２の光軸上の位置は、位置検出部１７，１８により検出されて、ＣＰＵ１４に出力される。モータ１６、位置検出部１８およびＣＰＵ１４は、撮像部１３に被写体像を投影する光学レンズユニット２の焦点を調節する焦点調節部を構成している。
【００１４】
撮像部１３の撮像面１３ａ上に結像した被写体像は、アナログの撮像信号に変換され、Ａ／Ｄ変換部１９においてデジタル信号に変換される。画像処理部２０は、Ａ／Ｄ変換部１９でデジタル信号に変換された撮像信号をバス２１を介して取得し、取得した撮像信号に対して、ホワイトバランス処理やガンマ補正、圧縮処理などの画像処理を行い、撮影された画像の画像データを生成する。画像処理部２０によって生成された画像データは、ＣＰＵ１４により、バッファメモリ２２に格納されると共に、Ｉ／Ｆ部２３を介して、図示しないスロットに着脱されるカードメモリなどの記録媒体２４に保存される。また、デジタルカメラ１の背面には、ＴＦＴ（Thin Film Transistor）液晶からなるモニタ２５が設けられている。モニタ２５には、撮像部１３によって撮影される被写体像の構図を確認するためのスルー画が表示されると共に、記録媒体２４に保存された撮影画像が再生表示される。
【００１５】
また、ＣＰＵ１４には操作部２７が接続されている。この操作部２７は、図示しないメニューボタンや再生ボタン、ならびに、上述したシャッターボタン３，動画撮影ボタン５および撮影モードダイヤル７などからなる。メニューボタンは、デジタルカメラ１の種々の設定を行うためのメニュー画面をモニタ２５に表示させる際に操作される。再生ボタンは、記録媒体２４に保存された撮影画像をモニタ２５に再生表示させる際に操作される。
【００１６】
また、デジタルカメラ１は、シャッターボタン３に対する撮影の開始操作が行われてから所定時間経過後に撮影を行わせるセルフタイマ撮影機能を備えており、セルフタイマランプ４は、セルフタイマ撮影機能が動作しているときに、ＣＰＵ１４によって赤色に発光制御される。また、セルフタイマランプ４は、動画撮影ボタン５が操作されて動画撮影が行われているときにもＣＰＵ１４によって赤色に発光制御され、動画記録機能が動作していることを表示する。セルフタイマランプ４は、撮像部１３で撮影される動画像の記録を行う動画記録機能が動作している、つまり、動画撮影が動作していることを発光により報知する発光部を構成しており、タリーランプとなる。また、撮像部１３は、撮像面１３ａに受光した被写体光に基づいて被写体輝度をＢｖ値（Sensitive value）として測光するする測光部を構成している。また、ＣＰＵ１４は、測光部が測光した被写体輝度に基づいて、セルフタイマランプ４を消灯するかどうかを判定する判定部を構成すると共に、判定部が判定した結果に基づいて、セルフタイマランプ４の発光を制御する発光制御部を構成している。本実施形態では、発光制御部は、動画撮影制御部が記録する動画像データを構成する画像データを撮像部１３が撮像している間に、判定部がセルフタイマランプ４を消灯すると判定した場合、セルフタイマランプ４を所定時間以上かけて漸減して消灯する。また、発光制御部は、セルフタイマランプ４を所定時間以上かけて漸減して消灯した場合、測光部が測光した被写体輝度に関わらず、セルフタイマランプ４の再点灯を禁止する。
【００１７】
また、デジタルカメラ１では、上述したメニュー画面などにおいて設定されるＩＳＯ（International Organization for Standardization）感度に基づいて、撮像部１３の撮像面１３ａの感光度を示すＳｖ値（Sensitive value）が求められる。Ｓｖ値はＩＳＯ感度の値に応じて定められ、例えば、ＩＳＯ感度２５のときには“３”となり、ＩＳＯ感度が２倍になる毎に、“１”ずつ増加していき、ＩＳＯ感度３２００のときには“１０”となる。Ｂｖ値にＳｖ値を加えて算出されるＬｖ値（Light value）（Ｌｖ＝Ｂｖ＋Ｓｖ）は、撮影の条件値を示す。また、レンズの絞り量であるＡｖ値（Aperture value）にシャッター速度であるＴｖ値（Time value）を加えて算出されるＥｖ値（Exposure value）（Ｅｖ＝Ａｖ＋Ｔｖ）は、デジタルカメラ１の撮影時の制御値を示す。Ｌｖ値とＥｖ値とが等しくなるように、光学レンズユニット２の絞りやシャッター速度を調節することで、撮影時における適正露出が得られる。操作部２７を構成する図示しないＩＳＯ感度設定ボタンは、撮像部１３の受光感度を設定する感度設定部を構成している。本実施形態では、上述した判定部は、測光部が測光した被写体輝度および感度設定部により設定された受光感度に基づいて、セルフタイマランプ４を消灯するかどうかを判定すると共に、測光部が測光した被写体輝度および焦点調節部により調節された光学レンズユニット２の焦点距離に基づいて、セルフタイマランプ４を消灯するかどうかを判定する。
【００１８】
本実施形態では、発光制御手段は、動画撮影時、被写体の輝度（Ｂｖ値）だけでなく、撮像部１３の撮像面１３ａの感光度（Ｓｖ値）にも基づいて、セルフタイマランプ４の発光制御を行う。つまり、ＣＰＵ１４により、上記のＳｖ値とＢｖ値との差Ｃ（＝Ｓｖ−Ｂｖ）に基づいて、動画撮影時にセルフタイマランプ４から放たれる光の撮影画像への写り込みの影響が考慮され、セルフタイマランプ４から放たれる光によって好ましくない動画像が記録されてしまう可能性が判断される。この差Ｃは、セルフタイマランプ４の発光輝度や、被写体の光反射率、光学レンズユニット２の焦点距離から算出される被写体までの距離などに基づいて定まる。一般的に、Ｃの値が大きくなるほど、暗い場所で感度を上げて撮影をしていることになり、セルフタイマランプ４から放たれる光の撮影動画像への写り込みの影響は、大きくなる。
【００１９】
本実施形態では、発光制御手段は、焦点調節手段によって調節された光学レンズユニット２の焦点距離にも基づいて、セルフタイマランプ４の発光制御を行う。また、発光制御手段は、動画記録機能の動作中に点灯しているセルフタイマランプ４を消灯する際、セルフタイマランプ４の発光を所定時間以上かけて漸減して消灯すると共に、動画記録機能の動作開始時または動画記録機能の動作中にセルフタイマランプ４を消灯させた場合、セルフタイマランプ４の再点灯を行わないように制御する。
【００２０】
図３は、動画撮影時にＣＰＵ１４によって行われるセルフタイマランプ４の発光制御処理の概略を示すフローチャートである。
【００２１】
動画撮影が行われていないときに操作者によって動画撮影ボタン５が操作されると動画記録機能が動作し始め、Ｓ１において、ＣＰＵ１４は、撮像部１３の撮像面１３ａに受光される被写体光に基づいて、被写体の輝度を示すＢｖ値を測光データとして取得する。続いて、ＣＰＵ１４は、現在設定されているＩＳＯ感度の値から撮像面１３ａの感光度を示すＳｖ値を求め、求めたＳｖ値とＳ１で取得したＢｖ値との差Ｃ（＝Ｓｖ−Ｂｖ）を算出する。そして、この差Ｃの値に基づいて、Ｓ２において、写り込み制御が必要であるか否かの判別を行う。この判別は、図４に示すグラフを用いて、Ｃの値が基準値Ｃ０を超えるか否かが判断されて、行われる。
【００２２】
同グラフの縦軸は、ＩＳＯ感度の設定によって定まる撮影者が制御可能なＳｖ値、横軸は、撮像部１３の撮像面１３ａで計測される撮影者によって制御できないＢｖ値を表している。また、実線は、Ｓｖ＝Ｂｖ＋Ｃ０の関係を満たす傾き１の特性線、破線は、Ｓｖ＝Ｂｖ＋Ｃ１（Ｃ１＞Ｃ０）の関係を満たす傾き１の特性線を表している。この破線で表す特性線は、被写体の輝度値の低下などによってＣの値がＣ０からＣ１へと大きくなり、実線で表すＳｖ＝Ｂｖ＋Ｃ０の特性線が上側に平行移動した状態を示している。
【００２３】
図３，Ｓ１の処理で取得したＢｖ値とＩＳＯ感度から求めたＳｖ値とから得られる座標位置（Ｂｖ，Ｓｖ）が、同図に示す実線の特性線（Ｓｖ＝Ｂｖ＋Ｃ０）よりも上側の斜線を付した領域（写り込み発生領域）に含まれる場合、つまり、差Ｃ（＝Ｓｖ−Ｂｖ）がＣ０よりも大きい（Ｃ＞Ｃ０）場合、動画像の撮影を暗いところで感度を上げた状態で行っていることになり、動画撮影中におけるセルフタイマランプ４の発光による撮影画像への写り込みが発生しやすい、写り込み制御が必要な状態であると、ＣＰＵ１４によって判断される。一方、上記座標位置（Ｂｖ，Ｓｖ）が実線の特性線よりも下側の領域に含まれる場合、つまり、差Ｃ（＝Ｓｖ−Ｂｖ）がＣ０よりも小さい（Ｃ＜Ｃ０）場合、被写体の輝度が高くてセルフタイマランプ４の発光による撮影画像への写り込みが発生しにくい、写り込み制御が必要でない状態であると、ＣＰＵ１４によって判断される。セルフタイマランプ４の発光輝度や、被写体の光反射率、光学レンズユニット２の焦点距離から算出される被写体までの距離などの条件が変化して、Ｃの値がＣ０からＣ１に大きくなると、上記写り込み発生領域は破線の特性線（Ｓｖ＝Ｂｖ＋Ｃ１）の上側に移動し、セルフタイマランプ４の発光による撮影画像への写り込みは発生しにくくなる。
【００２４】
セルフタイマランプ４の写り込みを抑制する写り込み制御が必要ではなく、Ｓ２の判別が“ＮＯ”である場合、ＣＰＵ１４は、Ｓ３において、セルフタイマランプ４の発光輝度を調節することなく、予め定められた発光態様でセルフタイマランプ４を点灯させる。一方、写り込み制御が必要であり、Ｓ２の判別が“ＹＥＳ”である場合、ＣＰＵ１４は、Ｓ４において、セルフタイマランプ４の発光輝度を低く調節してセルフタイマランプ４を点灯させる制御を行う。この点灯制御処理でセルフタイマランプ４の発光輝度を低く調節することにより、座標位置（Ｂｖ，Ｓｖ）は、Ｃの値が大きくなってセルフタイマランプ４の発光が撮影画像に写り込む、図４のグラフで斜線で示す写り込み発生領域から外れることになる。
【００２５】
Ｓ４の処理が終了すると、続いて、Ｓ５において、ＣＰＵ１４は、被写体やデジタルカメラ１の設定の変化などによる写り込みの条件の変化で、セルフタイマランプ４を消灯させる必要がある状態になっているか否かを判別する。写り込みの条件の変化でＣの値が非常に小さくなり（Ｃ≪Ｃ０）、セルフタイマランプ４の発光輝度を低くしても写り込みを防ぐことができないと判断されて、Ｓ５の判別が“ＹＥＳ”である場合、ＣＰＵ１４は、Ｓ６において、現在動画記録中であるか否かを判別する。現在動画記録中でＳ６の判別が“ＹＥＳ”である場合、ＣＰＵ１４は、Ｓ７において、セルフタイマランプ４の発光を所定時間以上、例えば１秒以上かけて漸減して消灯する制御を行う。この消灯制御では、セルフタイマランプ４の発光量が途中で増加することはなく、単調に減少する。Ｓ７の処理によってセルフタイマランプ４が消灯させられた場合、動画記録機能の動作が継続する間は、セルフタイマランプ４の再点灯は行われない。撮影者の動画撮影ボタン５に対する終了操作や、記録媒体２４の空き容量の不足、デジタルカメラ１の電池残量不足などの原因により動画記録機能の動作が終了していて、Ｓ６の判別が“ＮＯ”である場合、または、Ｓ７の処理が終了すると、セルフタイマランプ４の発光制御処理は終了する。
【００２６】
また、セルフタイマランプ４を消灯させる必要がなくてＳ５の判別が“ＮＯ”である場合、または、セルフタイマランプ４を点灯させるＳ３の処理が終了すると、ＣＰＵ１４は、Ｓ８において、Ｓ６の判別と同様に現在動画記録中であるか否かを判別する。この判別が“ＹＥＳ”である場合、処理はＳ１に戻り、上述した処理が繰り返される。一方、動画記録が終了していて、Ｓ８の判別が“ＮＯ”である場合、ＣＰＵ１４は、Ｓ９において、発光輝度の漸減制御を行うことなく直ちにセルフタイマランプ４を消灯させる。この処理によるセルフタイマランプ４の消灯は、動画記録の終了と同時もしくは動画記録が終了して所定時間が経過した後に行われる。Ｓ９の処理が終了すると、セルフタイマランプ４の発光制御処理は終了する。
【００２７】
このような本実施形態によるデジタルカメラ１によれば、上述したように、動画記録機能が動作して動画像の記録が行われる際には、図３，Ｓ１で取得した被写体の輝度（Ｂｖ値）の計測結果に基づいて、Ｓ４の処理でセルフタイマランプ４が発光制御手段により発光制御される。このため、撮像部１３による計測の結果、撮影範囲内の被写体の輝度（Ｂｖ値）が低くて、セルフタイマランプ４の発光が撮影画像の写り込みに与える影響が大きくなる場合には、発光制御手段によりセルフタイマランプ４の発光量を小さくして発光輝度を下げることで、セルフタイマランプ４の発光が撮影画像に写り込むのを防止することができる。この結果、デジタルカメラ１から被写体までの距離や、デジタルカメラ１の撮影モードなどにかかわらず、セルフタイマランプ４の発光が撮影画像に写り込むのを防止することが可能となり、主要被写体以外の他の被写体がデジタルカメラ１の撮影範囲内に入った場合であっても、従来のカメラのように、他の被写体で反射した光が撮影画像に写り込んで、意図しない好ましくない動画像が記録されないようになる。
【００２８】
また、本実施形態では、動画記録機能が動作して動画像の記録が行われる際には、図３，Ｓ１で取得した被写体の輝度（Ｂｖ値）の計測結果、およびＳ２で求めた撮像部１３の撮像面１３ａの感光度（Ｓｖ値）に基づいて、Ｓ４の処理で、セルフタイマランプ４が発光制御手段により発光制御される。このため、撮像部１３の撮像面１３ａの感光度（Ｓｖ値）が大きくて、セルフタイマランプ４の発光が撮影画像の写り込みに与える影響が大きくなる場合には、発光制御手段によりセルフタイマランプ４の発光量を小さくして発光輝度を下げることで、セルフタイマランプ４の発光が撮影画像に写り込むのを防止することができる。この結果、被写体の輝度（Ｂｖ値）の計測結果に加え、撮像部１３の撮像面１３ａの感光度（Ｓｖ値）が考慮されて、セルフタイマランプ４の発光制御が行われるようになり、セルフタイマランプ４の発光が撮影画像に写り込むのをさらに適切に防止することが可能となる。
【００２９】
また、本実施形態では、動画記録機能が動作して動画像の記録が行われる際には、発光制御手段により、図３，Ｓ１で取得した被写体の輝度（Ｂｖ値）の計測結果、および焦点調節手段によって調節された光学レンズユニット２の焦点距離に基づいて、Ｓ４の処理で、セルフタイマランプ４が発光制御される。このため、被写体の輝度（Ｂｖ値）の計測結果に加え、焦点距離が調節された撮影が望まれる被写体とデジタルカメラ１との間の距離が考慮されて、セルフタイマランプ４の発光制御が行われるようになり、セルフタイマランプ４の発光が撮影者が撮りたい撮影画像に写り込むのを適切に防止することが可能となる。
【００３０】
また、本実施形態では、動画記録機能の動作中に点灯しているセルフタイマランプ４は、発光制御手段によって消灯される際、図３，Ｓ７の処理で所定時間以上かけて少しずつ減光していく。このため、撮影画像に写り込むセルフタイマランプ４の光は時間をかけて消え、撮影画像に生じる変動が目立たないものとなり、記録された動画像を見る者に違和感を与えないことが可能になる。
【００３１】
また、本実施形態では、動画記録機能の動作開始時または図３，Ｓ７の処理で動画記録機能の動作中に発光制御手段によってセルフタイマランプ４が消灯させられた場合には、動画記録機能の動作中にセルフタイマランプ４が発光制御手段によって再点灯されることはない。このため、セルフタイマランプ４の消灯後、セルフタイマランプ４の再点灯によって好ましくない光が撮影画像に写り込むのを防止することができる。また、セルフタイマランプ４の消灯後、セルフタイマランプ４の発光による写り込みが生じない状態に変化した場合でもセルフタイマランプ４が再点灯されないことにより、セルフタイマランプ４の再点灯によって撮影者または被撮影者が動画記録機能の動作開始と誤認してしまうことを防止することが可能になる。
【００３２】
また、本実施形態では、セルフタイマランプ４は、動画記録機能が動作していることを表示すると共に、セルフタイマ機能が動作していることも表示する。このため、動画記録機能の動作の表示およびセルフタイマ機能の動作の表示を１つのセルフタイマランプ４で行うことができ、各表示毎にランプを設ける場合に比べて、デジタルカメラ１の製造コストを下げることが可能となる。
【００３３】
なお、上記実施形態では、発光制御手段によって、動画記録機能の動作中にセルフタイマランプ４が点灯させられる場合を説明したが、このようなセルフタイマランプ４の発光態様は適宜変更可能である。例えば、撮影者が動画記録開始時にセルフタイマランプ４を消灯すべきだと判断した条件下では、発光制御手段が、セルフタイマランプ４を、動画記録機能の動作開始に先立って第１の発光態様で発光させ、動画記録機能の動作中に消灯させ、動画記録機能の動作終了直後に第１の発光態様とは異なる第２の発光態様、または第１の発光態様と同じ発光態様で発光させる構成とすることも可能である。
【００３４】
この構成によれば、セルフタイマランプ４は、発光制御手段の制御により、動画記録機能の動作開始に先立って第１の発光態様で発光した後、動画記録機能の動作中に消灯し、動画記録機能の動作終了直後に第１の発光態様とは異なる第２の発光態様、例えば第１の発光態様とは異なる輝度や異なる点滅パターンなどで発光する。または、動画記録機能の動作開始に先立って第１の発光態様で発光した後、動画記録機能の動作中に消灯し、動画記録機能の動作終了直後に第１の発光態様と同じ発光態様で発光する。このため、動画記録機能の動作中にセルフタイマランプ４は消灯するので、セルフタイマランプ４の発光が撮影画像に写り込むのを防止することができる。また、動画記録機能の動作期間がセルフタイマランプ４の各発光態様によって報知されるようになり、撮影者および被撮影者は、これらの発光態様から動画記録機能の動作期間を把握できる。
【００３５】
また、上記実施形態では、動画記録機能の動作の途中で、セルフタイマランプ４の発光が写り込む条件に変化し、セルフタイマランプ４が図３，Ｓ７の処理により消灯されると、再点灯されない場合を説明したが、本発明はこれに限られるものではない。例えば、上記実施形態と同様にしてセルフタイマランプ４が図３，Ｓ７の処理により消灯された場合、動画記録機能の動作終了後にセルフタイマランプ４を予め設定された特定のパターンで発光させるようにしてもよい。上記実施形態の構成では、撮影者または被撮影者は、セルフタイマランプ４が一旦消灯されると消灯状態が続くので、動画記録機能の動作が終了したことに気付かない場合が起こり得るが、上記構成によれば、撮影者または被撮影者は、セルフタイマランプ４の特定のパターンの発光により、動画記録機能の動作が終了したことを明確に把握することができるようになる。
【００３６】
また、上記実施形態では、動画記録機能の動作中に点灯しているセルフタイマランプ４が、図３，Ｓ７の処理で発光制御手段によって消灯される際、所定時間以上かけて少しずつ減光し、再点灯しない場合を説明したが、本発明はこれに限られるものではない。動画記録機能の動作中に消灯したセルフタイマランプ４を、写り込みが生じない状態に変化した場合などに発光制御手段によって再点灯させるようにしてもよい。また、再点灯の際、セルフタイマランプ４の発光を所定時間以上、例えば１秒以上かけて漸増して再点灯させるようにすることも可能である。このようにセルフタイマランプ４を所定時間かけて漸増して再点灯させることにより、撮影画像に生じる変動は目立たないものとなり、記録された動画像を見る者に違和感を与えないことが可能になる。
【００３７】
また、上記実施形態では、セルフタイマランプ４が赤色で発光する発光ダイオードからなる場合を説明したが、本発明はこれに限られるものではない。例えば、セルフタイマランプ４を、複数の色で発光する発光ダイオードで構成することも可能である。この構成によれば、セルフタイマランプ４の発光色を、被写体の色が白色系のときは白色、被写体の色が赤色系のときは赤色というように、被写体の色と同じか近い色で発光させて、セルフタイマランプ４の発光の写り込みの影響を減少させることが可能になる。
【００３８】
また、上記実施形態では、撮像部１３の撮像面１３ａの感光度（Ｓｖ値）と被写体の輝度（Ｂｖ値）との差Ｃ（＝Ｓｖ−Ｂｖ）の大きさに単に応じて、図３，Ｓ４の処理でセルフタイマランプ４の点灯が制御される場合を説明したが、本発明はこれに限られるものではない。例えば、撮影範囲内に含まれる人物の顔を認識する顔認識手段を備え、この顔認識手段によって認識された人物の顔が撮影範囲全体に占める割合が予め設定された所定値を超える場合に、差Ｃ（＝Ｓｖ−Ｂｖ）の大きさに応じてセルフタイマランプ４の点灯が制御される構成とすることも可能である。例えば、撮像部から出力された画像データを用いて人物の顔領域を認識する顔認識部と、顔認識部により認識された顔領域の大きさを検出する検出部と、検出部により検出された顔領域の大きさが所定の大きさより大きいかどうかを判定する顔領域判定部とを備え、判定部が、検出部により検出された顔領域の大きさが所定の大きさよりも大きいと判定された場合、セルフタイマランプ４を消灯する。この構成によれば、撮影範囲内に含まれる人物の瞳や眼鏡などの反射率の高い領域にセルフタイマランプ４の発光が写り込むのを防止して、適切な動画像を得ることができる。
【００３９】
また、上記実施形態では、動画撮影ボタン５がセルフタイマランプ４の下方に設けられている場合を説明したが、セルフタイマランプ４の配置箇所は適宜変更可能である。また、動画撮影ボタン５は、シャッターボタン３などの他の操作部と兼用する構成であってもよい。
【００４０】
また、上記実施形態では、測光手段が撮像部１３からなる場合を説明したが、測光手段の構成は適宜変更可能である。例えば、ＴＴＬ（Through the Lens）方式で測光するカメラでは、内蔵ミラーで反射した光を測光する測光センサによって被写体の輝度（Ｂｖ値）を計測する構成とすることも可能である。
【００４１】
上記実施形態においては、本発明による撮像装置をデジタルカメラに適用した場合について説明したが、デジタルビデオカメラ、カメラ付き携帯電話機などの種々の撮像装置に本発明を適用することも可能である。このような撮像装置に本発明を適用した場合においても、上記実施形態と同様の作用効果が奏される。
【符号の説明】
【００４２】
１…デジタルカメラ
２…光学レンズユニット
４…セルフタイマランプ
５…動画撮影ボタン
１１…ズームレンズ
１２…フォーカスレンズ
１３…撮像部
１３ａ…撮像面
１４…ＣＰＵ
１５，１６…モータ
１７，１８…位置検出部
２４…記録媒体
【図１】
2010199915.tif 000003
【図２】
2010199915.tif 000004
【図３】
2010199915.tif 000005
【図４】
2010199915.tif 000006